(57)【要約】【課題】プリンタの複数の機能設定項目に対して一括で設定，変更でき、その作業は非常にわかり易く、また、機能設定用紙の取り扱いに過剰に意識させることなく、設定内容の矛盾点も容易に認識でき、コストアップもないプリンタの機能設定環境を提供すること。【解決手段】ＣＰＵ１５ａは、プリンタに設定可能な機能設定項目及び機能設定項目毎の現在の機能設定状態を含む機能設定用紙をプリンタ自ら印刷させ、該印刷された機能設定用紙の穴開き状態を用紙検知センサ１０にて読み取らせ、該読み取り結果に基づいて機能設定を行い、該設定された機能設定項目の設定状態を含む確認用紙を印刷する構成を特徴とする。【選択図】      図２
2004202851.tif 000002
【特許請求の範囲】
【請求項１】
給紙される用紙の有無を検出するセンサと、印刷情報に基づく画像を給紙される用紙に印刷処理する印刷手段とを有する印刷装置において、
印刷装置に設定可能な機能設定項目及び該機能設定項目毎の現在の機能設定状態を含む機能設定用紙を前記印刷手段に印刷させる第１の印刷制御手段と、
前記第１の印刷制御手段により印刷された機能設定用紙の前記センサ読み取り位置に対して用紙搬送方向に機能設定項目毎に施された機能設定用紙の加工状態を前記センサにて読み取らせ、該読み取り結果に基づいて機能設定を行う機能設定手段と、
前記機能設定手段により設定された機能設定項目毎の設定状態を含む確認用紙を前記印刷手段に印刷させる第２の印刷制御手段と、
を有することを特徴とする印刷装置。
【請求項２】
操作スイッチと、前記操作スイッチの操作パターンを検出するパターン検出手段とを有し、
前記第１の印刷制御手段は、前記パターン検出手段により検出される操作パターンに応じて、機能設定用紙を前記印刷手段に印刷させることを特徴とする請求項１記載の印刷装置。
【請求項３】
前記第２の印刷制御手段は、前記機能設定手段により設定された機能設定項目に矛盾が生じている場合には、該矛盾している項目に対するメッセージを印刷することを特徴とする請求項１又は２記載の印刷装置。
【請求項４】
前記第２の印刷制御手段により印刷される確認用紙は、前記機能設定用紙と同一の書式であり、
前記機能設定手段は、前記第２の印刷制御手段により印刷された確認用紙の加工状態を前記センサにて読み取らせて機能設定可能なことを特徴とする請求項１〜３のいずれかに記載の印刷装置。
【請求項５】
前記センサは、メカニカルセンサであり、
前記機能設定用紙に施された加工状態とは、前記機能設定用紙に施された穴開き加工状態であることを特徴とする請求項１〜４のいずれかに記載の印刷装置。
【請求項６】
前記センサは、光学センサであり、
前記機能設定用紙に施された加工状態とは、前記機能設定用紙に施された白黒パターン記載状態であることを特徴とする請求項１〜４のいずれかに記載の印刷装置。
【請求項７】
給紙される用紙の有無を検出するセンサと、印刷情報に基づく画像を給紙される用紙に印刷処理する印刷手段とを有する印刷装置の機能設定方法において、
印刷装置に設定可能な機能設定項目及び機能設定項目毎の現在の機能設定状態を含む機能設定用紙を前記印刷手段に印刷させる第１の印刷工程と、
該印刷された機能設定用紙の前記センサ読み取り位置に対して用紙搬送方向に機能設定項目毎に施された機能設定用紙の加工状態を前記センサにて読み取らせる読み取り工程と、
該読み取り結果に基づいて機能設定を行う機能設定工程と、
該設定された機能設定項目の設定状態を含む確認用紙を前記印刷手段に印刷させる第２の印刷工程と、
を有することを特徴とする印刷装置の機能設定方法。
【請求項８】
請求項７に記載された印刷装置の機能設定方法を実行するためのプログラム。
【請求項９】
請求項７に記載された印刷装置の機能設定方法を実行するためのプログラムをコンピュータが読み取り可能に記録した記録媒体。
【発明の詳細な説明】
【０００１】
【発明の属する技術分野】
本発明は、給紙される用紙の有無を検出するセンサと、印刷情報に基づく画像を給紙される用紙に印刷処理する印刷手段とを有する印刷装置及び印刷装置の機能設定方法およびプログラムおよび記録媒体に関するものである。
【０００２】
【従来の技術】
従来のプリンタでは、プリンタに装着されている数種類のキーの組合せにより手動にて機能設定を行っていたり、プリンタ内に用意されている専用スイッチの切替えにより機能設定を行っていた。
【０００３】
また、近年は、パーソナルコンピュータから直接プリンタへの機能設定を行えるようになっているのが一般的である。
【０００４】
また、機能設定用紙を予め用意し、読取り装置により読取らせることで、機能の設定、変更を行っていた。
【０００５】
【発明が解決しようとする課題】
しかし、プリンタの機能増加にともない、装着されている数種類のキーの組合せで機能設定を行ったのでは、その操作が複雑になる一方で、非常にわかりずらく、操作しずらいという問題点があった。
【０００６】
また、プリンタ内部に用意されている専用スイッチの切り替えにより機能設定を行うプリンタでは、スイッチ自体、プリンタのカバーを開けなければ設定できなかったり、設定項目に限りがあったり、多く取り付けることが不可能であったり、スイッチ自体に余計なコストがかかっていたという問題点があった。
【０００７】
さらに、近年のパーソナルコンピュータからの機能設定は非常にわかり易いが、デジタルカメラを直接接続するなど、パーソナルコンピュータ以外に接続されるものが増え、パーソナルコンピュータを所有していないプリンタユーザもでてきており、このようなユーザの場合や、パーソナルコンピュータが壊れて使用できない場合等では、結局、上記２つのいずれかの煩雑な操作を行わなければ機能設定ができなかったという問題点があった。
【０００８】
また、特開平１１-０９１１９０号公報には、印刷用紙の搬送経路上に、用紙を検出するための用紙センサを備え、装置に対して入力すべき情報を書き込んだ専用のデータ入力用紙を搬送経路に通紙し、印刷用紙の搬送経路上に設けられた用紙を検出するための用紙センサにて、このデータ用紙に書き込まれた情報（白／黒パターンあるいは用紙上の穴なし／穴ありのパターンによる２進数表現のデータ）をオン／オフのパターンとして読み取らせ、読み取った２進数表現のデータを装置への入力情報とするデータ入力方法が提案されている。
【０００９】
しかしながら、このデータ入力方法では、メーカから配布されると思われる専用のデータ入力用紙に対して、ユーザが入力したいデータを、白／黒パターンあるいは用紙上の穴なし／穴ありのパターンによる２進数表現で付加する必要があり、ユーザにとって非常に分かりづらいものであり、誤記による誤ったデータの入力や矛盾したデータを入力してしまう可能性が非常に高い上に、入力されたデータを容易に確認することができず、プリンタの機能設定に使用しづらいという問題点があった。
【００１０】
また、専用のデータ入力用紙を、なくしたり、汚してしまったり、破損させてしまったりして、以後入力できなくなってしまう恐れもあった。
【００１１】
本発明は、上記の問題点を解決するためになされたもので、本発明の目的は、印刷装置に設定可能な機能設定項目及び機能設定項目毎の現在の機能設定状態を含む機能設定用紙を印刷装置自ら印刷し、該印刷された機能設定用紙の前記センサ読み取り位置に対して用紙搬送方向に機能設定項目毎に施された機能設定用紙の加工状態を用紙検知センサにて読み取らせ、該読み取り結果に基づいて機能設定を行い、該設定された機能設定項目の設定状態を含む確認用紙を印刷することにより、印刷装置の複数の機能設定項目に対して一括で設定，変更できるとともに、その作業は非常にわかり易く、また、機能設定用紙は印刷装置が自ら印刷するため、なくしたり、汚したり、破損させて、以後設定不可能になる恐れもなく、取り扱いに過剰に意識することなく機能設定変更することがでる。さらに、仮に設定内容に矛盾が生じている場合には、その矛盾点を容易に認識して、再設定することができる。印刷装置の機能設定のための新たな部品を設けてコストアップすることもない印刷装置及び印刷装置の機能設定方法およびプログラムおよび記録媒体を提供することである。
【００１２】
【課題を解決するための手段】
本発明に係る第１の発明は、給紙される用紙の有無を検出するセンサ（図１に示す用紙検出センサ１０）と、印刷情報に基づく画像を給紙される用紙に印刷処理する印刷手段（図２に示す印刷部４）とを有する印刷装置において、印刷装置に設定可能な機能設定項目及び該機能設定項目毎の現在の機能設定状態を含む機能設定用紙を前記印刷手段に印刷させる第１の印刷制御手段（図２に示すＣＰＵ１５ａ）と、前記第１の印刷制御手段により印刷された機能設定用紙（図３に示す機能設定用紙３００）の前記センサ読み取り位置に対して用紙搬送方向に機能設定項目毎に施された機能設定用紙の加工状態を前記センサにて読み取らせ、該読み取り結果に基づいて機能設定を行う機能設定手段（図２に示すＣＰＵ１５ａ）と、前記機能設定手段により設定された機能設定項目毎の設定状態を含む確認用紙（図６に示す確認用紙６００）を前記印刷手段に印刷させる第２の印刷制御手段（図２に示すＣＰＵ１５ａ）とを有することを特徴とする。
【００１３】
本発明に係る第２の発明は、操作スイッチ（図１に示す電源キー１１、手動キー４）と、前記操作スイッチの操作パターンを検出するパターン検出手段（図２に示すＣＰＵ１５ａ）とを有し、前記第１の印刷制御手段は、前記パターン検出手段により検出される操作パターンに応じて、機能設定用紙を前記印刷手段に印刷させることを特徴とする。
【００１４】
本発明に係る第３の発明は、前記第２の印刷制御手段は、前記機能設定手段により設定された機能設定項目に矛盾が生じている場合には、該矛盾している項目に対するメッセージ（図６に示すメッセージ１２）を印刷することを特徴とする。
【００１５】
本発明に係る第４の発明は、前記第２の印刷制御手段により印刷される確認用紙は、前記機能設定用紙と同一の書式であり、前記機能設定手段は、前記第２の印刷制御手段により印刷された確認用紙の加工状態を前記センサにて読み取らせて機能設定可能なことを特徴とする。
【００１６】
本発明に係る第５の発明は、前記センサは、メカニカルセンサであり、前記機能設定用紙に施された加工状態とは、前記機能設定用紙に施された穴開き加工状態であることを特徴とする。
【００１７】
本発明に係る第６の発明は、前記センサは、光学センサであり、前記機能設定用紙に施された加工状態とは、前記機能設定用紙に施された白黒パターン記載状態であることを特徴とする。
【００１８】
本発明に係る第７の発明は、給紙される用紙の有無を検出するセンサと、印刷情報に基づく画像を給紙される用紙に印刷処理する印刷手段とを有する印刷装置の機能設定方法において、印刷装置に設定可能な機能設定項目及び機能設定項目毎の現在の機能設定状態を含む機能設定用紙を前記印刷手段に印刷させる第１の印刷工程（図８のステップＳ８０５）と、該印刷された機能設定用紙の前記センサ読み取り位置に対して用紙搬送方向に機能設定項目毎に施された機能設定用紙の加工状態を前記センサにて読み取らせる読み取り工程（図８のステップＳ８１０，Ｓ８１１）と、該読み取り結果に基づいて機能設定を行う機能設定工程（図８のステップＳ８１２，Ｓ８１３）と、該設定された機能設定項目の設定状態を含む確認用紙を前記印刷手段に印刷させる第２の印刷工程（図８のステップＳ８１８）とを有することを特徴とする。
【００１９】
本発明に係る第８の発明は、請求項７に記載された印刷装置の機能設定方法を実行するためのプログラムであることを特徴とする。
【００２０】
本発明に係る第９の発明は、請求項７に記載された印刷装置の機能設定方法を実行するためのプログラムを記録媒体にコンピュータが読み取り可能に記録させたことを特徴とする。
【００２１】
【発明の実施の形態】
〔第１実施形態〕
図１は、本発明の一実施形態を示す印刷装置を適用可能なプリンタを示す斜視図である。
【００２２】
図において、１はプリンタ本体である。２は給紙トレイで、プリンタ本体１に給紙する用紙３を載置するためのものである。４は操作キーで、各種設定及び操作を行うためのものであり、プリンタの通常処理と後述する機能設定モードを切替える場合にも使用される。５は、プリンタ本体１から紙を排紙するための排紙口である。１０は用紙検出センサ（以下、センサ）で、給紙トレイ２にから給紙された用紙３を検出するためのものである。１１は電源キーで、プリンタ本体１への電源のＯＮ／ＯＦＦを行うものである。
【００２３】
図２は、図１に示したプリンタの内部構成を示す断面図であり、図１と同一のものには同一の符号を付してある。
【００２４】
図において、１５は制御部で、ＣＰＵ１５ａ，ＲＯＭ１５ｂ，ＲＡＭ１５ｃ，不揮発性メモリ１５ｄを有し、ＣＰＵ１５ａがＲＯＭ１５ｂ又はその他の記録媒体に格納されたプログラムに基づいてプリンタ全体を統括制御する。１３は給紙ローラで、給紙口１６から給紙された用紙を印刷部１４に給紙するためのローラである。また、ＲＯＭ１５ｂは、ＣＰＵ１５ａによって実行される制御プログラムの他に後述する機能設定用紙３００の印刷情報や確認用紙６００の印刷情報等も格納している。さらに、ＲＡＭ１５ｃは、ＣＰＵ１５ａの作業領域である。また、不揮発性メモリ１５ｄは、後述する機能設定情報を記憶するためのものである。
【００２５】
また、制御部１５は、図示しないインタフェースを介してパーソナルコンピュータやワークステーション等の外部装置から入力される印刷データに基づいて印刷部１４の動作を制御し、給紙ローラ１３により給紙された用紙上に上記印刷データに基づく画像を形成する。
【００２６】
図３は、図１に示したプリンタより印刷されるプリンタ機能設定用紙の一例を示す模式図である。
【００２７】
図において、３００はプリンタに対して各種機能設定を行うための機能設定用紙であり、後述する機能設定モード時にプリンタ自身により印刷出力される。
【００２８】
この機能設定用紙３００において、６は機能設定可能な項目ごとに現在の機能設定状態を黒白の色分けで示す現設定印刷の列部である。７は対応する行の機能設定項目の概略説明（簡単な機能説明）が書かれている列部である。８は機能設定のオン／オフの説明がされている機能設定項目印刷の列部である。９は実際にオン／オフの設定をする（プリンタに判断させる）ための穴をあける位置を示す機能設定部である。なお、この機能設定部９は、機能設定用紙３００が図１に示したプリンタに給紙された場合、センサ１０上を通過する位置に印刷されている。
【００２９】
図４，図５は、図１に示したプリンタより機能設定用紙を読み取る概略的機構を説明するための概略図であり、図１〜図３と同一のものには同一の符号を付してある。
【００３０】
図４に示すように、機能設定用紙３００の機能設定を示す機能設定穴あけ部９に穴があいていない状態を示し、センサ１０が機能設定用紙３００により圧縮されており、ＣＰＵ１５ａは、センサ１０のオン信号を検出し、紙有り状態と判断する（紙有りを検出する）。
【００３１】
また、図５に示すように、機能設定用紙３００の機能設定を示す機能設定部９に穴があいている状態を示し、センサ１０が機能設定部９の穴にはまり飛び出し（解放され）ており、ＣＰＵ１５ａは、センサ１０のオフ信号を検出し、紙なし状態と判断する（紙無しを検出する）。
【００３２】
以下、機能設定用紙の印刷から設定完了までの手順の概要について説明する。
【００３３】
まず、電源キー１１と同時に操作キー４が押されたことが検出されると、給紙トレイ２上に載置された用紙が給紙され、給紙トレイ２とプリンタ本体１の奥に設けられたセンサ１０が用紙の有無を検出する。
【００３４】
そして、記録用紙３が給紙トレイ２上に存在すると判断した場合に、プリンタは給紙された用紙に機能設定用紙３００の印刷を開始する。そして、全ての設定項目を印刷すると、機能設定用紙３００を排紙口５より排紙する。
【００３５】
そして、ユーザは、印刷された機能設定用紙３００に対して、必要に応じて機能設定項目ごとにオン／オフを設定するために穴を手動にて開け、この機能設定用紙３００を再度給紙トレイ２上に載置する。この時、プリンタは、機能設定モード継続中なので、予め決められている操作キー４を押下することにより、読み取り動作を開始する。
【００３６】
ここで、読み取り動作とは、機能設定用紙３００を既定量ずつ紙送りして、各機能設定項目位置の紙有り／紙無し状態をセンサ１０にて検出することにより、機能設定オン／オフを検出し、該検出した機能設定情報を不揮発性メモリ１５ｃに記憶することである。
【００３７】
図６は、図３に示した機能設定用紙３００による機能設定後に確認のために印刷される確認用紙の一例を示す模式図であり、図３と同一のものには同一の符号を付してある。
【００３８】
図において、６００は確認用紙である。この確認用紙６００において、１２は矛盾が生じている機能設定項目とエラーメッセージである。
【００３９】
なお、この確認用紙６００は、図３に示した機能設定用紙３００と同一フォーマットになっており、この図に示すように機能設定に矛盾を生じている場合やユーザが設定を誤った場合等には、この確認用紙６００に再度穴あけを行い、機能設定用紙の印刷無しに機能設定用紙を読み込み設定するための予め決められている操作キー４押下の操作を行った後に、機能設定用紙３００の代わりに穴あけした確認用紙６００をプリンタにセットするだけで、再設定を行うことができる。
【００４０】
図７は、本発明の印刷装置において、使用者側から見た機能設定用紙の印刷から設定までの作業手順の一例を示すフローチャートであり、Ｓ７０１〜Ｓ７０６は使用者の各作業ステップを示す。
【００４１】
まず、使用者は、プリンタが印刷可能な市販の用紙を１枚、プリンタの給紙トレイ２に設定（セット）し（Ｓ７０１）、電源キー１１投入と同時に操作キー４押下の操作を行い（Ｓ７０２）、プリンタに対して機能設定モードへの移行を指示する。なお、本実施形態では、プリンタに対して機能設定モードへの移行指示を、電源１１投入と同時に操作キー４押下の操作により行うものとしたが、特にこの操作に限られるものではなく、予めプリンタ個別に決められた操作であればどのような操作であってもよい。
【００４２】
次に、プリンタが機能設定モードへ移行され、セットされた用紙３に機能設定を印刷した機能設定用紙３００が排紙口５から排紙されると、使用者は、手動にて必要な設定項目に該当する機能設定部９に穴をあける作業を行う（Ｓ７０３）。
【００４３】
そして、選択が完了（穴あけ作業が完了）すると、機能設定用紙３００を再びプリンタの給紙トレイ２に設定（セット）し（Ｓ７０４）、使用者は、プリンタの予め決められた操作キー４押下の操作を行う（Ｓ７０５）。この操作により、プリンタは、機能設定モードを継続中なので、機能設定用紙３００の給紙動作を実行し、読み取りを開始し、読み取り結果に基づいて機能設定を行う。
【００４４】
そして、プリンタにおいて機能設定が終了してプリンタ通常処理に移行すると、使用者は通常のプリンタ操作を行って印刷等を行うことができる（Ｓ７０６）。
【００４５】
図８は、本発明の印刷装置における第１の制御処理手順の一例を示すフローチャートであり、プリンタによる機能設定モード時の動作（機能設定用紙の記録動作と読み取り動作）に対応する。なお、このフローチャートの処理は、図２に示したＣＰＵ１５ａによりＲＯＭ１５ｂ又はその他の記録媒体に格納されたプログラムに基づいて実行されるものである。また、Ｓ８０１〜Ｓ８１９は各ステップを示す。
【００４６】
プリンタは電源が投入されると、まず、電源キー１１と操作キー４が同時に押されているかどうかを判断することにより、機能設定モードへの移行指示を判断し（Ｓ８０１，Ｓ８０２）、電源キー１１と操作キー４が同時に押されていない（機能設定モードへの移行指示がない）と判断した場合には、ステップＳ８１９に進み、プリンタ通常処理に移行する。
【００４７】
一方、ステップＳ８０１，Ｓ８０２で、電源キー１１と操作キー４が同時に押されている（機能設定モードへの移行指示がある）と判断した場合には、給紙トレイ２から用紙の先頭をセンサ１０の位置まで給紙処理し（Ｓ８０３）、センサ１０で用紙が検出されたか否かを判断する（Ｓ８０４）ことにより、用紙３が給紙トレイ２に設定（セット）されていなかったり、何らかのエラーにより用紙３が正常に給紙されなかったり等がないかの判断を行う。そして、ステップＳ８０４で、センサ１０で用紙が検出されなかった（紙無し）と判断した場合には、ステップＳ８１９に進み、そのままプリンタ通常処理へ移行する。
【００４８】
一方、ステップＳ８０４で、センサ１０で用紙が検出された（紙有り）と判断した場合には、給紙された用紙に機能設定用紙印刷処理を行い（Ｓ８０５）、機能設定用紙印刷処理が完了したら、印刷された機能設定用紙３００を排紙口５より排紙する（Ｓ８０６）。
【００４９】
ここで、利用者から、機能設定用紙３００の読み取りトリガのための操作キー４押下の操作がなされるまで待機し（Ｓ８０７）、操作キー４押下の操作がなされた（機能設定用紙３００の読み取りが指示された）と判断した場合には、利用者により給紙トレイ２にセットされているはずの機能設定用紙３００の読み取り開始位置を確定するために、給紙トレイ２から機能設定用紙３００の先頭をセンサ１０の位置まで給紙し（Ｓ８０８）、センサ１０で用紙が検出されたか否かを判断し（Ｓ８０９）、機能設定用紙３００が給紙トレイ２に設定（セット）されていなかったり、何らからエラーにより機能設定用紙３００が正常に給紙されなかったり等がないかの判断を行う。
【００５０】
そして、ステップＳ８０９で、センサ１０で機能設定用紙３００が検出されなかった（紙無し）と判断した場合には、ステップＳ８０７へ戻り、一方、センサ１０により機能設定用紙３００が検知された（紙有り）と判断した場合には、ステップＳ８１０に進む。
【００５１】
次に、ステップＳ８１０では、機能設定用紙３００を次の設定項目まで紙送りし、該設定項目がモードオン設定されている（該設定項目に該当する機能設定部９に穴が開けられている）か否かを判断するために、センサ１０が紙無しを検知したか否かを判断する（Ｓ８１１）。
【００５２】
そして、ステップＳ８１１で、センサ１０が紙無しを検知しなかったと判断した場合には、該設定項目をモードオンとして不揮発性メモリに設定し（Ｓ８１３）、一方、センサ１０が紙無しを検知したと判断した場合には、該設定項目をモードオフとして不揮発性メモリに設定する（Ｓ８１２）。なお、モードオン，モードオフと実際の機能設定との対応は、ＲＯＭ１５ｂに記憶されているものとする。例えば、図３に示した機能設定用紙３００を用いて説明すると、第１項目に記載されている「紙設定」では、モードオフ（穴が無し）の場合、紙設定は「Ａ４」、モードオン（穴有り）の場合、紙設定は「Ｂ５」と設定されたこととなる。
【００５３】
次に、機能設定項目を最後まで読み取ったか否かを既定量の紙送り（予定紙送り）が終了したか否かで判断し（Ｓ８１４）、予定紙送りが終了した、即ち、全ての機能設定項目の読み取りを完了したと判断した場合には、機能設定用紙３００を排紙口５から排紙する（Ｓ８１５）。
【００５４】
次に、給紙トレイ２から次の用紙の給紙処理を行い（Ｓ８１６）、センサ１０で用紙が検出されたか否かを判断する（Ｓ８１７）ことにより、次の用紙があるか否かの判断を行う。
【００５５】
ステップＳ８１７で、センサ１０により用紙が検出されなかった（紙無し）と判断した場合には、給紙トレイ２上に次の用紙がないものと判断し、ステップＳ８１９に進み、そのままプリンタ通常処理に移行する。
【００５６】
一方、ステップＳ８１７で、センサ１０により用紙が検出された（用紙有り）と判断した場合には、給紙された次用紙へ確認のための機能設定状態の印刷（確認印刷、即ち、次用紙への機能設定用紙印刷処理）を行い、プリンタ通常処理に移行する（Ｓ８１９）。
【００５７】
以上説明したように、最低１つ以上の手動キースイッチ（操作キー４）と、最低１つ以上の紙の有無を検出するセンサ１０を有するプリンタにおいて、手動キースイッチの操作パターンを検出し、該検出される操作パターンに基づいて、プリンタの機能設定情報を含む機能設定用紙３００（センサ１０と同期した縦方向位置に、各機能設定項目ごとに穴あけ部分を設けたもの）をプリンタ自ら印刷し、ユーザによる機能設定用紙３００への加工状態（穴開き状態）をセンサ１０にて読み取る（検出する）ことにより、一括でプリンタ機能を設定変更し、さらに、該設定した状態を次用紙に確認印刷することにより、コストを上げず、また複雑な操作を行わず、パーソナルコンピュータ等も使用せず、既存のメカニカルシステムにより、容易に機能設定状態を把握し、一括で機能設定，変更を行うことができる。
【００５８】
また、機能設定用紙は、プリンタ自ら印刷作成するものであって、機器購入時にハードコピーとして配布されるものではないため、「なくしたり」、「汚れたり」、「壊したり」等を心配することなく、機能設定，変更を行うことができる。
【００５９】
さらに、機能設定、変更を行った直後に確認の確認用紙（機能設定用紙）を印刷するため、設定変更ミスを無くすことができ、仮に設定ミスがあったとしても、印刷された機能設定用紙の誤り項目にエラーメッセージを印刷するため、本番印刷前に容易に設定変更ミスを確認し、再設定することができる。
【００６０】
〔第２実施形態〕
上記第１実施形態では、センサ１０をメカニカルセンサとする場合について説明したが、センサ１０を光学センサとするように構成してもよい。
【００６１】
本実施形態の場合、センサは機能設定用紙３００の機能設定部９上の白黒パターン（ユーザにより手動で塗りつぶされる）を読み取って、該読み取り結果に基づいて、機能設定を行うように構成するものとする。
【００６２】
以上のように、光学センサを用いたプリンタでは、ユーザによる機能設定用紙３００へ加工状態（この場合は、白黒パターン塗り状態）を光学センサにて読み取って、一括でプリンタ機能を設定変更し、さらに、該設定した状態を次用紙に確認印刷する構成とする。
【００６３】
〔第３実施形態〕
上記第１，第２実施形態では、設定に応じて機能設定用紙３００内の各設定項目に対応する機能設定部９に加工を施す（オンの場合は穴開き（黒塗り），オフの場合は穴無し（黒塗り無し）とする）場合について説明したが、現設定から変更したい設定項目に対応する機能設定部９にのみ加工を施す（現設定を変更した場合は穴開き（黒塗り），現設定のままの場合は穴無し（黒塗り無しとする）ように構成してもよい。
【００６４】
以上のように、本発明は、プリンタ自ら機能設定用紙を印刷し、この機能設定用紙に項目別に手動にて施された加工（穴あけ，黒塗り）の有無をセンサ（用紙の有無を検出するセンサ）により読み取る（なお、穴開き／穴無し，黒塗り／白パターンと、オン／オフの関係はそれぞれオン，オフが逆であってもよい）ことで、一括してプリンタの機能設定が行え、その設定内容を容易に確認することができるプリンタ装置および該装置を具備した複写機，ファクシミリ，ワードプロセッサ等の電子機器に関するものであり、ユーザは、機能設定用紙において、設定変更したい項目に該当する機能設定部にのみ加工（穴開け，黒塗り等）を施すだけでよいため、設定項目の数が多い場合でも、容易に設定変更することができる。
【００６５】
なお、本発明の印刷装置を適用可能なプリンタは、レーザビーム方式であっても、ＬＥＤ方式であっても、液晶シャッタ方式、インクジェット方式、熱転写方式、昇華方式でもその他のプリント方式であってもよい。
【００６６】
また、上記第１実施形態〜第３実施形態のいずれかを組み合わせた構成も本発明に含まれるものである。
【００６７】
以下、図９に示すメモリマップを参照して本発明に係る印刷装置で読み出し可能なデータ処理プログラムの構成について説明する。
【００６８】
図９は、本発明に係る印刷装置で読み出し可能な各種データ処理プログラムを格納する記録媒体のメモリマップを説明する図である。
【００６９】
なお、特に図示しないが、記録媒体に記録されるプログラム群を管理する情報、例えばバージョン情報，作成者等も記録され、かつ、プログラム読み出し側のＯＳ等に依存する情報、例えばプログラムを識別表示するアイコン等も記録される場合もある。
【００７０】
さらに、各種プログラムに従属するデータも上記ディレクトリに管理されている。また、インストールするプログラムやデータが圧縮されている場合に、解凍するプログラム等も記録される場合もある。
【００７１】
本実施形態における図８に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００７２】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００７３】
この場合、記録媒体から読み出されたプログラムコード自体が本発明の新規な機能を実現することになり、そのプログラムコードを記録した記録媒体は本発明を構成することになる。
【００７４】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７６】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【００７８】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【００７９】
【発明の効果】
以上説明したように、本発明によれば、印刷装置に設定可能な機能設定項目及び機能設定項目毎の現在の機能設定状態を含む機能設定用紙を印刷装置自ら印刷し、該印刷された機能設定用紙の前記センサ読み取り位置に対して用紙搬送方向に機能設定項目毎に施された機能設定用紙の加工状態を用紙検知センサにて読み取らせ、該読み取り結果に基づいて機能設定を行い、該設定された機能設定項目の設定状態を含む確認用紙を印刷するので、印刷装置の複数の機能設定項目に対して一括で設定，変更できるとともに、その作業は非常にわかり易く、また、機能設定用紙は印刷装置が自ら印刷するため、なくしたり、汚したり、破損させたりして、以後設定不可能になる恐れもなく、取り扱いに過剰に意識することなく機能設定変更することがでる。さらに、仮に設定内容に矛盾が生じている場合には、その矛盾点を容易に認識して、再設定することができる。さらに、印刷装置の機能設定のための新たな部品を設けてコストアップすることもない。
【００８０】
従って、プリンタの複数の機能設定項目に対して一括で設定，変更でき、その作業は非常にわかり易く、また、機能設定用紙の取り扱いに過剰に意識させることなく、設定内容の矛盾点も容易に認識でき、コストアップもないプリンタの機能設定環境を提供することができる等の効果を奏する。
【図面の簡単な説明】
【図１】本発明の一実施形態を示す印刷装置を適用可能なプリンタを示す斜視図である。
【図２】図１に示したプリンタの内部構成を示す断面図である。
【図３】図１に示したプリンタにより印刷される機能設定用紙の一例を示す模式図である。
【図４】図１に示したプリンタにより機能設定用紙を読み取る概略的機構を説明するための概略図である。
【図５】図１に示したプリンタにより機能設定用紙を読み取る概略的機構を説明するための概略図である。
【図６】図３に示した機能設定用紙による機能設定後に確認のために印刷される確認用紙の一例を示す模式図である。
【図７】本発明の印刷装置において、使用者側から見た機能設定用紙の印刷から設定までの作業手順の一例を示すフローチャートである。
【図８】本発明の印刷装置における第１の制御処理手順の一例を示すフローチャートである。
【図９】本発明に係る印刷装置で読み出し可能な各種データ処理プログラムを格納する記録媒体のメモリマップを説明する図である。
【符号の説明】
１  プリンタ本体
２  給紙トレイ
３  用紙
４  キー類
５  排紙口
１０  用紙検出センサ
１１  電源キー
１３  給紙ローラ
１４  印字部
１５  制御部
１６  給紙部
【図１】
2004202851.tif 000003
【図２】
2004202851.tif 000004
【図３】
2004202851.tif 000005
【図４】
2004202851.tif 000006
【図５】
2004202851.tif 000007
【図６】
2004202851.tif 000008
【図７】
2004202851.tif 000009
【図８】
2004202851.tif 000010
【図９】
2004202851.tif 000011